(57)【特許請求の範囲】
【請求項１】
下部から取り出して上部から供給する循環配管を付設して温度成層を形成する状態で貯湯を行う貯湯タンクと、
前記循環配管に設けられて前記貯湯タンクから取り出した水を加熱する加熱手段と、
前記循環配管に設けられて前記貯湯タンクから水を取り出すとともに加熱後の湯を前記貯湯タンクに供給する循環ポンプと、
前記貯湯タンクに連通接続されて前記貯湯タンク内の湯を浴槽内に供給する湯張り手段と、
前記貯湯タンクと並列に前記循環配管に接続されて前記加熱手段を経た湯を取り出す循環用分岐配管と、
前記循環用分岐配管に設けられて追焚き信号に応答して前記浴槽内の湯を循環させて加熱する追焚き用熱交換器とを備えたコージェネレーションシステムにおいて、
前記加熱手段が、熱電併給装置の排熱を熱源とする排熱加熱手段と、加熱能力が高い専用熱源による補助加熱手段とから成り、
前記浴槽内の湯の温度を測定する浴槽温度センサと、
前記浴槽内の湯の沸かし上げ温度を設定する沸かし上げ温度設定手段と、
前記追焚き信号に応答して、前記浴槽温度センサで測定される前記浴槽内の湯の温度と、前記沸かし上げ温度設定手段で設定された沸かし上げ温度とに基づいて前記排熱加熱手段で加熱した場合に沸かし上げ温度に達するのに必要な加熱時間を算出する加熱時間算出手段と、
前記加熱時間算出手段で算出された必要加熱時間と前記熱電併給装置の特性を生かすに足る排熱連続運転時間とを比較して、必要加熱時間が排熱連続運転時間よりも長いときに排熱加熱信号を出力するとともに短いときに補助加熱信号を出力する比較手段と、
前記比較手段からの排熱加熱信号に応答して前記排熱加熱手段を起動する状態に、かつ、補助加熱信号に応答して前記補助加熱手段を起動する状態に自動的に切り換える加熱選択手段とを備えたことを特徴とするコージェネレーションシステム。
【請求項２】
下部から取り出して上部から供給する循環配管を付設して温度成層を形成する状態で貯湯を行う貯湯タンクと、
前記循環配管に設けられて前記貯湯タンクから取り出した水を加熱する加熱手段と、
前記循環配管に設けられて前記貯湯タンクから水を取り出すとともに加熱後の湯を前記貯湯タンクに供給する循環ポンプと、
前記貯湯タンクに連通接続されて前記貯湯タンク内の湯を浴槽内に供給する湯張り手段と、
前記貯湯タンクと並列に前記循環配管に接続されて前記加熱手段を経た湯を取り出す循環用分岐配管と、
前記循環用分岐配管に設けられて追焚き信号に応答して前記浴槽内の湯を循環させて加熱する追焚き用熱交換器とを備えたコージェネレーションシステムにおいて、
前記加熱手段が、熱電併給装置の排熱を熱源とする排熱加熱手段と、加熱能力が高い専用熱源による補助加熱手段とから成り、
前記浴槽内の湯の温度を測定する浴槽温度センサと、
前記浴槽内の湯の沸かし上げ温度を設定する沸かし上げ温度設定手段と、
前記追焚き信号に応答して、前記浴槽温度センサで測定される前記浴槽内の湯の温度と、前記沸かし上げ温度設定手段で設定された沸かし上げ温度とに基づいて前記排熱加熱手段で加熱した場合に沸かし上げ温度に達するのに必要な加熱時間を算出する加熱時間算出手段と、
前記熱電併給装置の連続運転時間を計測する運転時間計測手段と、
追焚き信号に応答して、前記熱電併給装置が運転状態にあるときに、前記加熱時間算出手段で算出された必要加熱時間と前記運転時間計測手段で計測された連続運転時間とを加算して継続運転時間を算出する継続運転時間算出手段と、
前記継続運転時間算出手段で算出された継続運転時間と排熱連続運転時間とを比較して、継続運転時間が排熱連続運転時間よりも長いときに排熱加熱信号を出力するとともに短いときに補助加熱信号を出力する第２の比較手段と、
前記第２の比較手段からの排熱加熱信号に応答して前記排熱加熱手段を起動する状態に、かつ、補助加熱信号に応答して前記補助加熱手段を起動する状態に自動的に切り換える第２の加熱選択手段とを備えてあるコージェネレーションシステム。
【請求項３】
下部から取り出して上部から供給する循環配管を付設して温度成層を形成する状態で貯湯を行う貯湯タンクと、
前記循環配管に設けられて前記貯湯タンクから取り出した水を加熱する加熱手段と、
前記循環配管に設けられて前記貯湯タンクから水を取り出すとともに加熱後の湯を前記貯湯タンクに供給する循環ポンプと、
前記貯湯タンクに連通接続されて前記貯湯タンク内の湯を浴槽内に供給する湯張り手段と、
前記貯湯タンクと並列に前記循環配管に接続されて前記加熱手段を経た湯を取り出す循環用分岐配管と、
前記循環用分岐配管に設けられて追焚き信号に応答して前記浴槽内の湯を循環させて加熱する追焚き用熱交換器とを備えたコージェネレーションシステムにおいて、
前記加熱手段が、熱電併給装置の排熱を熱源とする排熱加熱手段と、加熱能力が高い専用熱源による補助加熱手段とから成り、
前記浴槽内の湯の温度を測定する浴槽温度センサと、
前記浴槽内の湯の沸かし上げ温度を設定する沸かし上げ温度設定手段と、
前記追焚き信号に応答して、前記浴槽温度センサで測定される前記浴槽内の湯の温度と、前記沸かし上げ温度設定手段で設定された沸かし上げ温度とに基づいて前記排熱加熱手段で加熱した場合に沸かし上げ温度に達するのに必要な加熱時間を算出する加熱時間算出手段と、
沸かし上がり時間を設定する沸かし上がり時間設定手段と、
追焚き信号に応答して、前記沸かし上がり時間設定手段で設定された沸かし上がり時間と排熱連続運転時間とを比較し、沸かし上がり時間が排熱連続運転時間よりも長いときに沸かし上がり時間を出力する第３の比較手段と、
前記第３の比較手段から出力された沸かし上がり時間と前記加熱時間算出手段で算出された必要加熱時間とを比較して必要加熱時間が沸かし上がり時間よりも長いときにその加熱時間差を算出する加熱時間差算出手段と、
前記加熱時間差算出手段で算出された加熱時間差分の加熱量を前記補助加熱手段で得るに足る補助加熱時間を算出する補助加熱時間算出手段と、
前記補助加熱時間算出手段で算出された補助加熱時間だけ前記排熱加熱手段と併用して補助加熱手段を起動する状態に自動的に切り換える補助加熱併用制御手段とを備えてあるコージェネレーションシステム。
【発明の詳細な説明】
【０００１】
【発明の属する技術分野】
本発明は、発電機とガスエンジンとを一体化したものとか燃料電池といった熱電併給装置で発生する排熱を利用して、温度成層を形成する状態で貯湯タンク内に湯を貯め、その貯湯タンク内の湯を風呂に供給できるとともに、排熱を利用して風呂の追焚きも行えるように構成したコージェネレーションシステムに関する。
【０００２】
【従来の技術】
従来一般に、風呂の追焚きを行う場合、特開平７−２５３２２８号公報に示されるように、浴槽との間で浴槽内の湯を循環する循環配管を設け、その循環配管にヒータを設け、追焚き時には、ヒータからの熱源によって加熱するように構成されている。
【０００３】
【発明が解決しようとする課題】
しかしながら、熱電併給装置からの排熱を利用して貯湯タンク内に湯を貯め、その湯を風呂に供給できるように構成した場合に、追焚きをヒータなどの専用熱源のみによって行うことは、省エネルギー性や経済性を向上できず、未だ改良の余地があった。
【０００４】
一方、熱電併給装置からの排熱を利用する場合、熱電併給装置の筐体が大きいため、その運転開始時から所定の時間までの立ち上がりにおいて、発生した排熱が筐体や排熱を供給する配管などに吸収され、利用できる排熱量が少ない。
【０００５】
そのような排熱量の少ない状態での加熱を行うと、排熱利用の目的である本来の省エネルギー性や経済性が損なわれる欠点があった。
【０００６】
本発明は、このような事情に鑑みてなされたものであって、請求項１に係る発明は、追焚きを行うときに、熱電併給装置からの排熱を合理的に利用して省エネルギー性および経済性を向上できるようにすることを目的とし、また、請求項２に係る発明は、熱電併給装置の運転状態をも考慮して省エネルギー性および経済性を一層向上できるようにすることを目的とし、また、請求項３に係る発明は、省エネルギー性および経済性の向上を確保しながら、使い勝手に優れたものにできるようにすることを目的とする。
【０００７】
【課題を解決するための手段】
請求項１に係る発明は、上述のような目的を達成するために、
下部から取り出して上部から供給する循環配管を付設して温度成層を形成する状態で貯湯を行う貯湯タンクと、
前記循環配管に設けられて前記貯湯タンクから取り出した水を加熱する加熱手段と、
前記循環配管に設けられて前記貯湯タンクから水を取り出すとともに加熱後の湯を前記貯湯タンクに供給する循環ポンプと、
前記貯湯タンクに連通接続されて前記貯湯タンク内の湯を浴槽内に供給する湯張り手段と、
前記貯湯タンクと並列に前記循環配管に接続されて前記加熱手段を経た湯を取り出す循環用分岐配管と、
前記循環用分岐配管に設けられて追焚き信号に応答して前記浴槽内の湯を循環させて加熱する追焚き用熱交換器とを備えた貯湯式風呂追焚き機能付給湯器において、
前記加熱手段が、熱電併給装置の排熱を熱源とする排熱加熱手段と、加熱能力が高い専用熱源による補助加熱手段とから成り、
前記浴槽内の湯の温度を測定する浴槽温度センサと、
前記浴槽内の湯の沸かし上げ温度を設定する沸かし上げ温度設定手段と、
前記追焚き信号に応答して、前記浴槽温度センサで測定される前記浴槽内の湯の温度と、前記沸かし上げ温度設定手段で設定された沸かし上げ温度とに基づいて前記排熱加熱手段で加熱した場合に沸かし上げ温度に達するのに必要な加熱時間を算出する加熱時間算出手段と、
前記加熱時間算出手段で算出された必要加熱時間と前記熱電併給装置の特性を生かすに足る排熱連続運転時間とを比較して、必要加熱時間が排熱連続運転時間よりも長いときに排熱加熱信号を出力するとともに短いときに補助加熱信号を出力する比較手段と、
前記比較手段からの排熱加熱信号に応答して前記排熱加熱手段を起動する状態に、かつ、補助加熱信号に応答して前記補助加熱手段を起動する状態に自動的に切り換える加熱選択手段とを備えて構成する。
【０００８】
ここで、熱電併給装置の特性を生かすに足る排熱連続運転時間とは、用いる熱電併給装置によって設定されるものである。
すなわち、その筐体の容積に伴う運転開始からの排熱の温度の立ち上がり状況と、立ち上がり後の連続運転時間とから、排熱回収効率と発電効率とを求め、それらから省エネルギー性および経済性の面から有用となる全体としての連続運転時間が排熱連続運転時間として設定される。
【０００９】
また、請求項２に係る発明は、前述のような目的を達成するために、
下部から取り出して上部から供給する循環配管を付設して温度成層を形成する状態で貯湯を行う貯湯タンクと、
前記循環配管に設けられて前記貯湯タンクから取り出した水を加熱する加熱手段と、
前記循環配管に設けられて前記貯湯タンクから水を取り出すとともに加熱後の湯を前記貯湯タンクに供給する循環ポンプと、
前記貯湯タンクに連通接続されて前記貯湯タンク内の湯を浴槽内に供給する湯張り手段と、
前記貯湯タンクと並列に前記循環配管に接続されて前記加熱手段を経た湯を取り出す循環用分岐配管と、
前記循環用分岐配管に設けられて追焚き信号に応答して前記浴槽内の湯を循環させて加熱する追焚き用熱交換器とを備えたコージェネレーションシステムにおいて、
前記加熱手段が、熱電併給装置の排熱を熱源とする排熱加熱手段と、加熱能力が高い専用熱源による補助加熱手段とから成り、
前記浴槽内の湯の温度を測定する浴槽温度センサと、
前記浴槽内の湯の沸かし上げ温度を設定する沸かし上げ温度設定手段と、
前記追焚き信号に応答して、前記浴槽温度センサで測定される前記浴槽内の湯の温度と、前記沸かし上げ温度設定手段で設定された沸かし上げ温度とに基づいて前記排熱加熱手段で加熱した場合に沸かし上げ温度に達するのに必要な加熱時間を算出する加熱時間算出手段と、
前記熱電併給装置の連続運転時間を計測する運転時間計測手段と、
追焚き信号に応答して、前記熱電併給装置が運転状態にあるときに、前記加熱時間算出手段で算出された必要加熱時間と前記運転時間計測手段で計測された連続運転時間とを加算して継続運転時間を算出する継続運転時間算出手段と、
前記継続運転時間算出手段で算出された継続運転時間と排熱連続運転時間とを比較して、継続運転時間が排熱連続運転時間よりも長いときに排熱加熱信号を出力するとともに短いときに補助加熱信号を出力する第２の比較手段と、
前記第２の比較手段からの排熱加熱信号に応答して前記排熱加熱手段を起動する状態に、かつ、補助加熱信号に応答して前記補助加熱手段を起動する状態に自動的に切り換える第２の加熱選択手段とを備えて構成する。
【００１０】
また、請求項３に係る発明は、前述のような目的を達成するために、
下部から取り出して上部から供給する循環配管を付設して温度成層を形成する状態で貯湯を行う貯湯タンクと、
前記循環配管に設けられて前記貯湯タンクから取り出した水を加熱する加熱手段と、
前記循環配管に設けられて前記貯湯タンクから水を取り出すとともに加熱後の湯を前記貯湯タンクに供給する循環ポンプと、
前記貯湯タンクに連通接続されて前記貯湯タンク内の湯を浴槽内に供給する湯張り手段と、
前記貯湯タンクと並列に前記循環配管に接続されて前記加熱手段を経た湯を取り出す循環用分岐配管と、
前記循環用分岐配管に設けられて追焚き信号に応答して前記浴槽内の湯を循環させて加熱する追焚き用熱交換器とを備えたコージェネレーションシステムにおいて、
前記加熱手段が、熱電併給装置の排熱を熱源とする排熱加熱手段と、加熱能力が高い専用熱源による補助加熱手段とから成り、
前記浴槽内の湯の温度を測定する浴槽温度センサと、
前記浴槽内の湯の沸かし上げ温度を設定する沸かし上げ温度設定手段と、
前記追焚き信号に応答して、前記浴槽温度センサで測定される前記浴槽内の湯の温度と、前記沸かし上げ温度設定手段で設定された沸かし上げ温度とに基づいて前記排熱加熱手段で加熱した場合に沸かし上げ温度に達するのに必要な加熱時間を算出する加熱時間算出手段と、
沸かし上がり時間を設定する沸かし上がり時間設定手段と、
追焚き信号に応答して、前記沸かし上がり時間設定手段で設定された沸かし上がり時間と排熱連続運転時間とを比較し、沸かし上がり時間が排熱連続運転時間よりも長いときに沸かし上がり時間を出力する第３の比較手段と、
前記第３の比較手段から出力された沸かし上がり時間と前記加熱時間算出手段で算出された必要加熱時間とを比較して必要加熱時間が沸かし上がり時間よりも長いときにその加熱時間差を算出する加熱時間差算出手段と、
前記加熱時間差算出手段で算出された加熱時間差分の加熱量を前記補助加熱手段で得るに足る補助加熱時間を算出する補助加熱時間算出手段と、
前記補助加熱時間算出手段で算出された補助加熱時間だけ前記排熱加熱手段と併用して補助加熱手段を起動する状態に自動的に切り換える補助加熱併用制御手段とを備えて構成する。
【００１１】
【作用】
請求項１に係る発明のコージェネレーションシステムの構成によれば、追焚きを行う追焚き信号が出力されると、浴槽内に実際に貯められている湯の温度と、設定された沸かし上げ温度とに基づき、排熱加熱手段で沸かし上げた場合の必要加熱時間を算出する。
算出された必要加熱時間と排熱連続運転時間とを比較し、設定された沸かし上げ温度まで追焚きするために排熱加熱手段を運転したときに、省エネルギー性および経済性の面から有用かどうかを判断し、有用であると判断したとき、排熱加熱手段を選択し、省エネルギー性および経済性の面での有用性を確保した状態で排熱により追焚きをすることができる。
【００１２】
また、請求項２に係る発明のコージェネレーションシステムの構成によれば、追焚きを行う追焚き信号が出力された時点において、例えば、貯湯、給湯、暖房であるとか発電のためなどに既に熱電併給装置が運転状態にあるときに、その時点までの熱電併給装置の連続運転時間に、これから追焚きするのに必要な加熱時間を加算し、その加算した継続運転時間と排熱連続運転時間とを比較し、設定された沸かし上げ温度まで追焚きするために排熱加熱手段を運転した場合に、省エネルギー性および経済性の面から有用かどうかを判断し、有用であると判断したとき、排熱加熱手段を選択し、省エネルギー性および経済性の面での有用性を確保した状態で排熱により追焚きをすることができる。
【００１３】
また、請求項３に係る発明のコージェネレーションシステムの構成によれば、排熱連続運転時間を越え、かつ、排熱加熱手段だけによる追焚きでは設定された沸かし上がり時間を越える場合に、その越える時間分を埋めるに必要な加熱量を補助加熱手段で得、排熱加熱手段と補助加熱手段の両方によって追焚きを行い、設定された沸かし上がり時間で追焚きを完了することができる。
【００１４】
【発明の実施の形態】
次に、本発明の実施例を図面に基づいて詳細に説明する。
図１は、本発明に係るコージェネレーションシステムの実施例を示す概略構成図であり、ガスエンジンによって発電機を駆動するように構成した熱電併給装置１と貯湯給湯器２とが、ジャケット冷却水の循環配管３と第１の熱交換器４とを介して接続され、貯湯、給湯および暖房に熱電併給装置１からの排熱を利用できるように構成されている。このジャケット冷却水の循環配管３と第１の熱交換器４とによって排熱加熱手段が構成されている。熱電併給装置１としては、燃料電池を用いるものでも良い。
【００１５】
貯湯給湯器２には、貯湯タンク５と、補助熱源機６と、補給水タンク７とが備えられている。
貯湯タンク５の下部から上部にわたって、循環ポンプ８を介装した循環配管９が設けられ、この循環配管９に第１の熱交換器４と補助熱源機６とが直列に設けられている。
循環配管９には流量センサ１０と流量制御弁１１とが設けられている。
【００１６】
以上の構成により、貯湯タンク５の下部から水を取り出し、熱電併給装置１からの排熱によって加熱し、その加熱後の湯を貯湯タンク５の上部から供給し、温度成層を形成する状態で貯湯を行うようになっている。
【００１７】
補助熱源機６は、加熱能力が高い専用熱源として都市ガスにより燃焼加熱するように構成され、熱電併給装置１からの排熱による加熱を行わないときに、または併用して、補助熱源機６による加熱を行い、貯湯、給湯および暖房用の湯を得るように構成されている。前述排熱加熱手段と補助熱源機６とによって、貯湯タンク５から取り出した水を加熱する加熱手段が構成されている。
【００１８】
循環配管９には、第１の熱交換器４および補助熱源機６と並列に循環用分岐配管１３が接続され、その循環用分岐配管１３に暖房用熱交換器１４と追焚き用熱交換器１５が設けられている。
【００１９】
暖房用熱交換器１４には、補給水タンク７に接続される状態で第１のポンプ付き配管１６が接続され、第１のポンプ付き配管１６に取り出しヘッダー１７および戻りヘッダー１８を介して図示していない床暖房機、室内暖房機、浴室乾燥機などが接続されている。
【００２０】
追焚き用熱交換器１５には、第２のポンプ付き配管１９を介して浴槽２０が接続され、追焚きを行うように構成されている。
第２のポンプ付き配管１９には、浴槽２０内に貯められている実際の湯量を測定する圧力センサ２１が設けられている。
【００２１】
循環配管９および出力用循環配管１３と並列に、貯湯タンク５に給湯管２２が接続され、給湯管２２に分配弁２２ａ、流量制御弁２２ｂ、流量センサ２２ｃおよび開閉弁２２ｄが設けられるとともに、その給湯管２２が第２のポンプ付き配管１９に接続されている。これにより、貯湯タンク５から給湯管２２および第２のポンプ付き配管１９を介して浴槽２０内に所望温度の湯を供給できるように湯張り手段が構成されている。
【００２２】
給湯管２２の途中箇所には、シャワーに接続されるシャワー配管２２ｅが接続されている。分配弁２２ａには、給水管２３が接続され、湯量と給水量との分配比を調節することにより湯張り時の湯の温度を調節できるようになっている。
【００２３】
第２のポンプ付き配管１９には、浴槽５内の湯の温度を測定する浴槽温度センサ２４が設けられている。また、浴室（図示せず）の側壁に取り付けられたタッチパネルに、追焚き時に沸かし上げ温度を設定する沸かし上げ温度設定手段２５（図２参照）と、沸かし上がり時間を設定する沸かし上がり時間設定手段２６（図３参照）が設けられている。
【００２４】
熱電併給装置１に、その発電出力を感知するなどにより運転状態を検出するとともに、その連続運転時間を計測する運転時間計測手段２７（図２参照）が設けられている。
【００２５】
図２の（ａ）の第１実施例のブロック図に示すように、浴槽温度センサ２４と沸かし上げ温度設定手段２５がマイクロコンピュータ２８に接続され、そのマイクロコンピュータ２８に排熱加熱手段としての熱電併給装置１と補助加熱手段としての補助熱源機６とが接続されている。
【００２６】
マイクロコンピュータ２８には、加熱時間算出手段２９と比較手段３０と加熱選択手段３１とが備えられている。
加熱時間算出手段２９は、追焚き信号に応答して、浴槽温度センサ２４で測定される浴槽２０内の湯の温度と、沸かし上げ温度設定手段２５で設定された沸かし上げ温度とに基づいて熱電併給装置１からの排熱を利用する排熱加熱手段で加熱した場合に沸かし上げ温度に達するのに必要な加熱時間を算出するようになっている。
【００２７】
比較手段３０は、加熱時間算出手段２９で算出された必要加熱時間と熱電併給装置１の特性を生かすに足る排熱連続運転時間とを比較して、必要加熱時間が排熱連続運転時間よりも長いときに排熱加熱信号を出力するとともに短いときに補助加熱信号を出力するようになっている。
【００２８】
上記排熱連続運転時間は、用いる熱電併給装置１に応じてその熱電併給装置１の特性を生かすに足るように設定されるものである。
すなわち、熱電併給装置１を構成する筐体の容積に伴う運転開始からの排熱の温度の立ち上がり状況と、立ち上がり後の連続運転時間とから、排熱回収効率と発電効率とを求め、それらから省エネルギー性および経済性の面から有用となる全体としての連続運転時間が排熱連続運転時間として設定される。
【００２９】
加熱選択手段３１は、比較手段３０からの排熱加熱信号に応答して排熱加熱手段（熱電併給装置１）を起動する状態に、かつ、補助加熱信号に応答して補助加熱手段（補助熱源機６）を起動する状態に自動的に切り換えるようになっている。
【００３０】
以上の構成により、追焚きを行うときに、省エネルギー性および経済性の面から有用となるときにのみ熱電併給装置１からの排熱を利用し、省エネルギー性および経済性を向上できる。
【００３１】
図２の（ｂ）は第２実施例のブロック図であり、マイクロコンピュータ２８に、継続運転時間算出手段３２と第２の比較手段３３と第２の加熱選択手段３４とが備えられている。
【００３２】
継続運転時間算出手段３２は、追焚き信号に応答して、熱電併給装置１が運転状態にあるときに、加熱時間算出手段２９で算出された必要加熱時間と運転時間計測手段２７で計測された連続運転時間とを加算して継続運転時間を算出するようになっている。
【００３３】
第２の比較手段３３は、継続運転時間算出手段３２で算出された継続運転時間と排熱連続運転時間とを比較して、継続運転時間が排熱連続運転時間よりも長いときに排熱加熱信号を出力するとともに短いときに補助加熱信号を出力するようになっている。
【００３４】
第２の加熱選択手段３４は、第２の比較手段３３からの排熱加熱信号に応答して排熱加熱手段（熱電併給装置１）を起動する状態に、かつ、補助加熱信号に応答して補助加熱手段（補助熱源機６）を起動する状態に自動的に切り換えるようになっている。
【００３５】
この第２実施例の構成によれば、追焚きの分だけでは熱電併給装置１を運転して排熱で加熱しても省エネルギー性および経済性を向上できない場合でも、貯湯、給湯、暖房であるとか発電のためなどに既に熱電併給装置１を運転している場合に、継続して熱電併給装置１を運転させることで排熱連続運転時間を越え、省エネルギー性および経済性を向上できる。
【００３６】
図３は第３実施例のブロック図であり、マイクロコンピュータ２８に、第３の比較手段３５と加熱時間差算出手段３６と補助加熱時間算出手段３７と補助加熱併用制御手段３８とが備えられている。
【００３７】
第３の比較手段３５は、追焚き信号に応答して、沸かし上がり時間設定手段２６で設定された沸かし上がり時間と排熱連続運転時間とを比較し、沸かし上がり時間が排熱連続運転時間よりも長いときに沸かし上がり時間を出力するようになっている。
【００３８】
加熱時間差算出手段３６は、第３の比較手段３５から出力された沸かし上がり時間と加熱時間算出手段２９で算出された必要加熱時間とを比較して必要加熱時間が沸かし上がり時間よりも長いときにその加熱時間差を算出するようになっている。
【００３９】
補助加熱時間算出手段３７は、加熱時間差算出手段３６で算出された加熱時間差分の加熱量を補助加熱手段（補助熱源機６）で得るに足る補助加熱時間を算出するようになっている。
【００４０】
補助加熱併用制御手段３８は、補助加熱時間算出手段３７で算出された補助加熱時間だけ排熱加熱手段（熱電併給装置１）と併用して補助加熱手段（補助熱源機６）を起動する状態に自動的に切り換えるようになっている。
【００４１】
この第３実施例の構成によれば、熱電併給装置１を省エネルギー性および経済性の面で有用な状態で極力長い時間運転して省エネルギー性および経済性を向上できながら、補助熱源機６による加熱により、設定された沸かし上がり時間に確実に沸かし上げ、使い勝手にも優れたものにできる。
【００４２】
本発明としては、前述第１実施例、第２実施例および第３実施例のすべてを備えて貯湯式風呂追焚き機能付給湯器を構成するものでも良い。
【００４３】
【発明の効果】
以上の説明から明らかなように、請求項１に係る発明のコージェネレーションシステムによれば、追焚きを行うために排熱加熱手段を運転した場合に、省エネルギー性および経済性の面から有用であると判断したときに、排熱加熱手段で排熱により追焚きを行うから、熱電併給装置からの排熱を合理的に利用して省エネルギー性および経済性を向上できる。
【００４４】
また、請求項２に係る発明のコージェネレーションシステムによれば、追焚きを行う追焚き信号が出力された時点において、例えば、給湯であるとか発電のためなどに既に熱電併給装置が運転状態にあるときに、その時点までの熱電併給装置の連続運転時間を、これから追焚きを行うのに必要な加熱時間に加算した継続運転時間を基に、追焚きを行うために排熱加熱手段を運転した場合に、省エネルギー性および経済性の面から有用であると判断したときに、排熱加熱手段で排熱により追焚きを行うから、追焚きだけであれば、省エネルギー性および経済性の面から有用である排熱連続運転時間とはならない場合でも、熱電併給装置の運転状態を考慮して排熱により追焚きを行うことができ、省エネルギー性および経済性を一層向上できる。
【００４５】
また、請求項３に係る発明のコージェネレーションシステムによれば、浴槽内の湯が低温で沸かし上げに時間がかかり過ぎるといったように、排熱加熱手段だけによる追焚きでは設定された沸かし上がり時間を越える場合に、排熱加熱手段と補助加熱手段の両方によって追焚きを行うことにより、設定時間で追焚きを完了するから、可能な限り排熱加熱手段による追焚きを行うことができ、省エネルギー性および経済性の向上を確保しながら、設定時間で風呂を沸かし上げることができて使い勝手に優れる。
【図面の簡単な説明】
【図１】本発明に係るコージェネレーションシステムの概略構成図である。
【図２】（ａ）は第１実施例を示すブロック図、（ｂ）は第２実施例を示すブロック図である。
【図３】第３実施例を示すブロック図である。
【符号の説明】
１…熱電併給装置
４…第１の熱交換器
６…補助熱源機
８…循環ポンプ
９…循環配管
１３…循環用分岐配管
１５…追焚き用熱交換器
２０…浴槽
２４…浴槽温度センサ
２５…沸かし上げ温度設定手段
２６…沸かし上がり時間設定手段
２７…運転時間計測手段
２９…加熱時間算出手段
３０…比較手段
３１…加熱選択手段
３２…継続運転時間算出手段
３３…第２の比較手段
３４…第２の加熱選択手段
３５…第３の比較手段
３６…加熱時間差算出手段
３７…補助加熱時間算出手段
３８…補助加熱併用制御手段
【図１】
0003990527.tif 000002
【図２】
0003990527.tif 000003
【図３】
0003990527.tif 000004